(57)【要約】【課題】隣接するラックのアンテナとの干渉を生じにくく、隣接するラックに陳列された商品のＲＦＩＤタグを読みにくく、リアルタイムの在庫管理ができる商品陳列用ラックを提供する。【解決手段】商品陳列用ラックは、ＲＦＩＤタグが付された商品を陳列するためのラックであって、商品が陳列される空間内又は前記空間に面して敷設された、前記ＲＦＩＤタグのケーブル状のリーダライタアンテナと、空間と外部空間の少なくとも一部とを区切るシールド部材と、を備える。【選択図】図１
2019207445.tif 000002
【特許請求の範囲】
【請求項１】
ＲＦＩＤタグが付された商品を陳列するための商品陳列用ラックであって、
前記商品が陳列される空間内又は前記空間に面して敷設された、前記ＲＦＩＤタグのケーブル状のリーダライタアンテナと、
前記空間と外部空間の少なくとも一部とを区切るシールド部材と、
を備えた、商品陳列用ラック。
【請求項２】
前記リーダライタアンテナは、
内部導体および前記内部導体に沿って設けられた外部導体を有するケーブル状本体部と、
前記ケーブル状本体部の一端部に設けられ、前記内部導体のインピーダンスを前記外部導体のインピーダンスに合わせるための整合回路部と、
前記ケーブル状本体部の前記一端部から離間して前記外部導体に沿って設けられた磁性体と、
を有し、
前記ケーブル状本体部の一端部において、前記内部導体と前記外部導体とは前記整合回路部を介して接続されている、請求項１に記載の商品陳列用ラック。
【請求項３】
前記リーダライタアンテナの前記外部導体は、グランドと接続されている、請求項２に記載の商品陳列用ラック。
【請求項４】
１本の前記リーダライタアンテナが前記空間内において二次元的または三次元的に配置されている、請求項１から３のいずれか一項に記載の商品陳列用ラック。
【請求項５】
前記リーダライタアンテナは、前記シールド部材より前記空間の側に前記シールド部材に沿って敷設されている、請求項１から４のいずれか一項に記載の商品陳列用ラック。
【請求項６】
前記シールド部材は、前記リーダライタアンテナと対向する面が前記リーダライタアンテナの外径の２倍以上の幅を有する、請求項５に記載の商品陳列用ラック。
【請求項７】
前記シールド部材は、前記リーダライタアンテナと対向する面が前記リーダライタアンテナの外径の１／１０以上の厚さを有する、請求項６に記載の商品陳列用ラック。
【請求項８】
前記シールド部材について前記空間と反対側に、店舗側アンテナと通信するための外部通信用アンテナが設けられている、請求項１から７のいずれか一項に記載の商品陳列用ラック。
【請求項９】
前記商品陳列用ラックは、衣料品を陳列するための移動式ハンガーラックである、請求項１から８のいずれか一項に記載の商品陳列用ラック。
【請求項１０】
ラックに陳列された商品の商品管理を行う商品管理システムであって、
陳列された商品のＲＦＩＤタグを読むための商品陳列用ラックと、
前記商品陳列用ラックと通信して前記商品の商品管理を行う店舗側端末と、
を備え、
前記商品陳列用ラックは、
前記商品が陳列される空間内又は前記空間に面して敷設された、前記ＲＦＩＤタグのケーブル状のリーダライタアンテナと、
前記空間と外部空間の少なくとも一部とを区切るシールド部材と、
前記シールド部材について前記空間と反対側に設けられた外部通信用アンテナと、
を有し、
前記店舗側端末は、
前記商品陳列用ラックの前記外部通信用アンテナと通信するための店舗側アンテナと、
前記商品のＲＦＩＤタグの情報を管理する制御部と、
を有する、
商品管理システム。
【請求項１１】
前記店舗側端末の前記制御部は、特定のＲＦＩＤタグの読取り可否をリアルタイムに検出して、前記特定のＲＦＩＤタグが付された商品が前記ラックから取り出され、戻された回数を含む履歴を管理する、請求項１０に記載の商品管理システム。
【発明の詳細な説明】
【技術分野】
【０００１】
本発明は、ケーブル状のリーダライタアンテナを敷設した商品陳列用ラック及びこれを用いた商品管理システムに関する。
【背景技術】
【０００２】
従来、ＲＦＩＤシステムを利用した衣料品等の在庫管理が行われている（例えば、特許文献１及び２参照。）。このＲＦＩＤシステムでは、店員がハンディ型のリーダライタを走査することによって、各衣料品に取り付けられたＲＦＩＤタグの読取りを行っていた。
【０００３】
上記のＲＦＩＤシステムでは、バッチ的な管理は可能だが、リアルタイムの管理はできない。
【０００４】
また、ループアンテナを有するリーダ装置が備えられたラックが知られている（例えば、特許文献３及び４参照）。このラックによれば、ラックそのものにリーダ装置が備えられており、リアルタイムの在庫管理ができる。
【先行技術文献】
【特許文献】
【０００５】
【特許文献１】特開２００４−２４６６１７号公報
【特許文献２】特開２０１５−２３４５７号公報
【特許文献３】特表２００７−５３５７６２号公報
【特許文献４】特許第５６８９５６５号公報
【発明の概要】
【発明が解決しようとする課題】
【０００６】
しかし、複数のラックが隣接している場合、ループアンテナ同士が干渉してしまったり、隣接するラックに吊るされたＲＦＩＤタグを読んでしまったりすることがある。また、ループアンテナは、近くに金属物があると、その通信特性が大きく劣化するという問題がある。
【０００７】
そこで、本発明の目的は、隣接するラックのアンテナとの干渉を生じにくく、隣接するラックに陳列された商品のＲＦＩＤタグを読みにくく、リアルタイムの商品管理ができる商品陳列用ラックを提供することである。
【課題を解決するための手段】
【０００８】
本発明に係る商品陳列用ラックは、ＲＦＩＤタグが付された商品を陳列するための商品陳列用ラックであって、
前記商品が陳列される空間内又は前記空間に面して敷設された、前記ＲＦＩＤタグのケーブル状のリーダライタアンテナと、
前記空間と外部空間の少なくとも一部とを区切るシールド部材と、
を備える。
【０００９】
本発明に係る商品管理システムは、ラックに陳列された商品の商品管理を行う商品管理システムであって、
陳列された商品のＲＦＩＤタグを読むための商品陳列用ラックと、
前記商品陳列用ラックと通信して前記衣料品の商品管理を行う店舗側端末と、
を備え、
前記商品陳列用ラックは、
前記商品が陳列される空間内又は前記空間に面して敷設された、前記ＲＦＩＤタグのケーブル状のリーダライタアンテナと、
前記空間と外部空間の少なくとも一部とを区切るシールド部材と、
前記シールド部材について前記空間と反対側に設けられた外部通信用アンテナと、
を有し、
前記店舗側端末は、
前記商品陳列用ラックの前記外部通信用アンテナと通信するための店舗側アンテナと、
前記商品のＲＦＩＤタグの情報を管理する制御部と、
を有する。
【発明の効果】
【００１０】
本発明に係る商品陳列用ラック及びこれを用いた商品管理システムによれば、ケーブル状のリーダライタアンテナを用いている。このため、隣接するラックのアンテナとの干渉を生じにくく、隣接するラックに陳列された商品のＲＦＩＤタグを読みにくく、リアルタイムの商品管理ができる。
【図面の簡単な説明】
【００１１】
【図１】実施の形態１に係る商品陳列用ラックであるハンガーラックの構成を示す概略斜視図である。
【図２】図１のハンガーラックを２つ並べて、それぞれにハンガーを掛け、それぞれのケーブルアンテナを介して商品のＲＦＩＤタグとそれぞれ通信する様子を示す概略斜視図である。
【図３Ａ】図１のハンガーラックに用いるリーダライタアンテナの一例の構成を示す概略図である。
【図３Ｂ】図３Ａの整合回路部の概略図である。
【図４Ａ】整合回路部の平面図である。
【図４Ｂ】図４ＡのＡ−Ａ方向に見た整合回路部の側断面図である。
【図４Ｃ】図４Ａの整合回路部の等価回路図である。
【図５Ａ】ハンガーに掛けられたＲＦＩＤタグ付きの衣服を示す概略図である。
【図５Ｂ】ＲＦＩＤタグの一例を示す概略図である。
【図６】実施の形態１に係るハンガーラックを含む商品管理システムの構成を示すブロック図である。
【図７Ａ】リーダライタアンテナの放射部をコネクタを介して延長した場合を示す概略図である。
【図７Ｂ】２つのコネクタ間で延長された放射部の拡大図である。
【図７Ｃ】図７Ｂの斜視図である。
【図７Ｄ】リーダライタアンテナの非放射部をコネクタを介して延長した場合を示す概略図である。
【図７Ｅ】２つのコネクタ間で延長された非放射部の拡大図である。
【図７Ｆ】図７Ｅの斜視図である。
【図８】実施の形態２に係る商品陳列用ラックであるハンガーラックの構成を示す概略斜視図である。
【図９】実施の形態３に係る商品陳列用ラックであるハンガーラックの構成を示す概略斜視図である。
【図１０】図９のＢ−Ｂ方向に見た金属製の支柱とリーダライタアンテナとの概略断面図である。
【図１１Ａ】実施の形態４に係る商品陳列用ラックであるハンガーラックの構成を示す概略斜視図である。
【図１１Ｂ】図１１Ａのハンガーラックにおいて、金属製のハンガーパイプにリーダライタアンテナを配置した状態を示す概略図である。
【図１２】実施の形態５に係る商品陳列用ラックであるハンガーラックの構成を示す概略斜視図である。
【図１３Ａ】リーダライタアンテナの空間内における配置の一例を示す概略斜視図である。
【図１３Ｂ】リーダライタアンテナの空間内における配置の他の例を示す概略斜視図である。
【図１４Ａ】リーダライタアンテナの空間内における配置のさらに他の例を示す概略斜視図である。
【図１４Ｂ】リーダライタアンテナの空間内における配置のさらに他の例を示す概略斜視図である。
【図１５Ａ】リーダライタアンテナの空間内における配置のさらに他の例を示す概略斜視図である。
【図１５Ｂ】リーダライタアンテナの空間内における配置のさらに他の例を示す概略斜視図である。
【図１６Ａ】リーダライタアンテナの空間内における配置のさらに他の例を示す概略斜視図である。
【図１６Ｂ】リーダライタアンテナの空間内における配置のさらに他の例を示す概略斜視図である。
【図１７Ａ】実施の形態６に係る商品陳列用ラックである陳列台の構成を示す概略斜視図である。
【図１７Ｂ】実施の形態６に係る商品陳列用ラックである別例の陳列台の構成を示す概略斜視図である。
【図１８】実施の形態７に係る商品陳列用ラックである陳列用シェルフの構成を示す概略斜視図である。
【発明を実施するための形態】
【００１２】
第１の態様に係る商品陳列用ラックは、ＲＦＩＤタグが付された商品を陳列するための商品陳列用ラックであって、
前記商品が陳列される空間内又は前記空間に面して敷設された、前記ＲＦＩＤタグのケーブル状のリーダライタアンテナと、
前記空間と外部空間の少なくとも一部とを区切るシールド部材と、
を備える。
【００１３】
第２の態様に係る商品陳列用ラックは、上記第１の態様の構成において、前記リーダライタアンテナは、
内部導体および前記内部導体に沿って設けられた外部導体を有するケーブル状本体部と、
前記ケーブル状本体部の一端部に設けられ、前記内部導体のインピーダンスを前記外部導体のインピーダンスに合わせるための整合回路部と、
前記ケーブル状本体部の前記一端部から離間して前記外部導体に沿って設けられた磁性体と、
を有し、
前記ケーブル状本体部の一端部において、前記内部導体と前記外部導体とは前記整合回路部を介して接続されていてもよい。
【００１４】
第３の態様に係る商品陳列用ラックは、上記第２の態様の構成において、前記リーダライタアンテナの前記外部導体は、グランドと接続されていてもよい。
【００１５】
第４の態様に係る商品陳列用ラックは、上記第１から第３のいずれかの態様の構成において、１本の前記リーダライタアンテナが前記空間内において二次元的または三次元的に配置されていてもよい。
【００１６】
第５の態様に係る商品陳列用ラックは、上記第１から第４のいずれかの態様の構成において、前記リーダライタアンテナは、前記シールド部材より前記空間の側に前記シールド部材に沿って敷設されていてもよい。
【００１７】
第６の態様に係る商品陳列用ラックは、上記第５の態様の構成において、前記シールド部材は、前記リーダライタアンテナと対向する面が前記リーダライタアンテナの外径の２倍以上の幅を有してもよい。
【００１８】
第７の態様に係る商品陳列用ラックは、上記第６の態様の構成において、前記シールド部材は、前記リーダライタアンテナと対向する面が前記リーダライタアンテナの外径の１／１０以上の厚さを有してもよい。
【００１９】
第８の態様に係る商品陳列用ラックは、上記第１から第７のいずれかの態様の構成において、前記シールド部材について前記空間と反対側に、店舗側アンテナと通信するための外部通信用アンテナが設けられていてもよい。
【００２０】
第９の態様に係る商品陳列用ラックは、上記第１から第８のいずれかの態様の構成において、前記商品陳列用ラックは、衣料品を陳列するための移動式ハンガーラックであってもよい。
【００２１】
第１０の態様に係る商品管理システムは、ラックに陳列された商品の商品管理を行う商品管理システムであって、
陳列された商品のＲＦＩＤタグを読むための商品陳列用ラックと、
前記商品陳列用ラックと通信して前記商品の商品管理を行う店舗側端末と、
を備え、
前記商品陳列用ラックは、
前記商品が陳列される空間内又は前記空間に面して敷設された、前記ＲＦＩＤタグのケーブル状のリーダライタアンテナと、
前記空間と外部空間の少なくとも一部とを区切るシールド部材と、
前記シールド部材について前記空間と反対側に設けられた外部通信用アンテナと、
を有し、
前記店舗側端末は、
前記商品陳列用ラックの前記外部通信用アンテナと通信するための店舗側アンテナと、
前記商品のＲＦＩＤタグの情報を管理する制御部と、
を有する。
【００２２】
第１１の態様に係る商品管理システムは、上記第１０の態様の構成において、前記店舗側端末の前記制御部は、特定のＲＦＩＤタグの読取り可否をリアルタイムに検出して、前記特定のＲＦＩＤタグが付された商品が前記ラックから取り出され、戻された回数を含む履歴を管理してもよい。
【００２３】
以下、実施の形態に係る商品陳列用ラック及びこれを用いた商品管理システムについて、添付図面を参照しながら説明する。なお、図面において実質的に同一の部材については同一の符号を付している。
【００２４】
（実施の形態１）
＜ハンガーラック＞
図１は、実施の形態１に係る商品陳列用ラックであるハンガーラック１０の構成を示す概略斜視図である。図２は、図１のハンガーラック１０、１０ａを２つ並べて、それぞれにハンガー３、３ａを掛け、それぞれのケーブル状のリーダライタアンテナ２０、２０ａを介して商品２、２ａのＲＦＩＤタグ１、１ａとそれぞれ通信する様子を示す概略斜視図である。なお、図面では、便宜上、ハンガーラック１０、１０ａの水平方向の左から右に向かってｘ方向とし、手前から奥に向かってｙ方向とし、垂直方向の下から上に向かってｚ方向としている。
【００２５】
このハンガーラック１０、１０ａは、ＲＦＩＤタグ１、１ａが付された商品２、２ａを陳列するためのハンガーラック１０，１０ａである。このハンガーラック１０，１０ａは、商品２，２ａが陳列される空間４、４ａ内に敷設された、ＲＦＩＤタグ１、１ａのリーダライタアンテナ２０、２０ａと、空間４、４ａと外部空間の少なくとも一部とを区切るシールド部材１５ａ、１５ｂ、１５ｃ、１５ｄ、１５ｅ、１５ｆと、を備える。シールド部材１５ｃ、１５ｆについて空間４、４ａと反対側に、店舗側アンテナ５１と通信するための外部通信用アンテナを含む通信モジュール２２、２２ａが設けられている。
【００２６】
このハンガーラック１０によれば、ケーブル状のリーダライタアンテナ２０を用いているので、隣接するラック１０ａのリーダライタアンテナ２０ａとの干渉を生じにくい。また、空間４と外部空間とを区切るシールド部材１５ａ、１５ｂ、１５ｃによって隣接するラック１０ａに陳列された商品２ａのＲＦＩＤタグ１ａを読みにくく、リアルタイムの商品管理ができる。ハンガーラック１０ａについても同様であって、ケーブル状のリーダライタアンテナ２０ａを用いているので、隣接するラック１０のリーダライタアンテナ２０との干渉を生じにくい。また、空間４ａと外部空間とを区切るシールド部材１５ｄ、１５ｅ、１５ｆによって隣接するラック１０に陳列された商品２のＲＦＩＤタグ１を読みにくく、リアルタイムの商品管理ができる。
【００２７】
以下に、このハンガーラック１０，１０ａを構成する構成部材について説明する。
【００２８】
＜ラック＞
ラック１０，１０ａとは、商品を陳列するための棚、台、架などであり、ハンガーラック、陳列台、陳列用シェルフ等を含むものである。例えば、図１のハンガーラック１０では、ハンガー３を掛けるためのハンガーパイプ１１と、ハンガーパイプ１１を支える支柱１２と、底部１３と、キャスター１４と、を備える。また、ハンガーパイプ１１と、支柱１２と、底部１３と、で囲まれる空間４は、商品である衣服を陳列するための空間である。底部１３は、樹脂、木材、等の絶縁体からなる。
なお、後述する実施の形態２、３、４及び５に示すように、ハンガーパイプ１１及び支柱１２は、金属製であってもよい。あるいは、ハンガーパイプ１１及び支柱１２は、絶縁体からなるものであってもよい。
【００２９】
＜リーダライタアンテナ＞
図３Ａは、図１のハンガーラック１０に用いるリーダライタアンテナ２０の一例の構成を示す概略図である。図３Ｂは、図３Ａの整合回路部３０の概略図である。図４Ａは、図３Ｂの整合回路部３０の平面図である。図４Ｂは、図４ＡのＡ−Ａ方向に見た整合回路部３０の側断面図である。なお、図４Ｂでは、ビアホール導体３２の断面及びケーブル状本体部２１の両方の断面を示すために、便宜上、途中で断面を切り替えている。図４Ｃは、図４Ａの整合回路部３０の等価回路図である。
【００３０】
リーダライタアンテナ２０、２０ａは、図１及び図２に示すように、商品２が陳列される空間４内のＲＦＩＤタグ１と通信するためのリーダライタアンテナである。このリーダライタアンテナ２０は、図１に示すように、商品２が陳列される空間４に面して敷設されている。ここで敷設されるとは、部材に沿って設けられる場合に限られず、より一般的に、配置される、設置される、等の意味を含んでいる。また、空間４に面して敷設される、とは、空間４に直接又は間接に面して配置されることを含んでいる、空間４に直接に面して配置される場合とは、例えば、空間４を囲む面に沿って配置されている場合である。また、空間４に間接に面して配置される場合とは、例えば、図１に示すように、空間４を囲む部材に面して配置される場合である。
【００３１】
具体的には、図１に示すように、リーダライタアンテナ２０は、空間４に面する底部１３の裏面に沿って配置されている。また、例えば、後述する図１３Ａ乃至図１６Ｂに示す空間内における配置又は空間に面する配置のいずれであってもよい。例えば、二次元的または三次元的に配置されていてもよい。さらに、空間内に含まれる曲面に沿って配置されていてもよい。また、図１５Ａ及び図１６Ａに示すように、空間に面する底部１３に平行な面内にミアンダ状に配置され、ハンガーパイプ１１の上部にミアンダ状に配置されると共に、両者の間をつなぐように三次元的に配置されていてもよい。また、一次元的、つまり直線的に配置されていてもよい。本発明の範囲であれば、上記図面に示される配置に限定されない。さらに、リーダライタアンテナ２０は、シールド部材１５ａ、１５ｂ、１５ｃより空間４の側にシールド部材に沿って敷設されていてもよい。なお、リーダライタアンテナ２０が敷設されるとは、ＲＦＩＤ通信についてのアンテナとして配置されることを意味している。そこで、後述するように、リーダライタアンテナ２０が敷設されるとは、リーダライタアンテナ２０の放射部２７が敷設されることを意味している。
【００３２】
図１では、リーダライタアンテナ２０は、シールド部材１５ｃの上部に設けられた通信モジュール２２から非放射部２８が支柱１２に沿ってｚ軸の負方向に延在する。次いで、支柱１２と底部１３との間に非放射部２８と放射部２７とを区切る磁性体２６が配置され、放射部２７が底部１３の裏面に沿ってミアンダ状に配置されている。なお、放射部２７の配置は、底部１３の裏面に設ける場合に限られない。
【００３３】
また、リーダライタアンテナ２０は、例えば、図３Ａに示すように、内部導体２４および内部導体２４に沿って設けられた外部導体２５を有するケーブル状本体部２１を有する。このケーブル状本体部２１は、例えば、同軸ケーブルが用いられている。また、リーダライタアンテナ２０は、ケーブル状本体部２１の一端部に設けられた整合回路部３０と、ケーブル状本体部２１の一端部から離間して外部導体２５に沿って設けられた磁性体２６と、を有する。整合回路部３０によって、内部導体２４のインピーダンスを外部導体２５のインピーダンスに合わせることができる。また、ケーブル状本体部２１の一端部において、内部導体２４と外部導体２５とは整合回路部３０を介して接続されている。磁性体２６によって、整合回路部３０及び一端部から磁性体２６までのケーブル状本体部２１による放射部２７と、磁性体２６及び磁性体２６を設けた箇所から給電部２３側までのケーブル状本体部２１とによる非放射部２８とに区切られる。放射部２７によってＲＦＩＤタグ１との通信を行うことができる。このリーダライタアンテナ２０では、非放射部２８は、シールド部材として機能する。なお、磁性体２６としては、例えばフェライト等を用いることができる。また、リーダライタアンテナ２０の外部導体２５は、グランドと接続されている。これによって電気的により安定する。
【００３４】
整合回路部３０は、図３Ｂに示すように、ケーブル状本体部２１の一端部において内部導体２４が外部導体２５と容量結合によって接続されている。具体的には、図４Ａ及び図４Ｂに示すように、整合回路部３０は、構造的には、内部導体２４と接続された平面状の第１導体層３１と、ビアホール導体３２と、平面状の第２導体層３３と、を含む。第１導体層３１及び第２導体層３３は、外部導体２５の外径よりも広い幅を有し、ケーブル状本体部２１の延在方向に沿って絶縁体３４を介して対向している。また、第１導体層３１と第２導体層３３とは、２箇所のビアホール導体３２で互いに接続されている。第２導体層３３は、第１導体層３１よりも長く、外部導体２５と絶縁体３４を介して重なり合うように配置されている。
【００３５】
また、整合回路部３０は、電気的には、内部導体２４と第１導体層３１とが電気的に接続し、第１導体層３１と第２導体層３３とは２箇所のビアホール導体３２で電気的に接続されている。さらに、第２導体層３３と外部導体２５とは絶縁体３４を介するキャパシタ成分３５を有する容量結合によって接続している。つまり、図４Ｃに示すように、内部導体２４と外部導体２５とは、キャパシタ成分３５とインダクタ成分３６とを含む整合回路部３０を介して接続している。
【００３６】
なお、整合回路部３０の構成は、図４Ａ及び図４Ｂの場合に限られない。例えば、複数のキャパシタと複数のインダクタとがそれぞれ組み合わされて並列に配置されていてもよい。
【００３７】
このリーダライタアンテナ２０は、外部導体２５に生じる定在波を利用したアンテナであって、いわゆるループアンテナではない。また、その電波エリアはリーダライタアンテナ２０の近傍約１ｍ以内に限られる。さらに、金属体や磁性体が近くにあっても、周波数特性は大きく変わらない。またさらに、このリーダライタアンテナ２０によれば、屈曲させても屈曲部分間での干渉等が生じないので、商品２を陳列する空間４に２次元的又は３次元的に比較的自由に配置することができる。
【００３８】
図７Ａは、コネクタ３８ｂ、３８ｃを介してリーダライタアンテナ２０の放射部２７のアンテナ長を延長した場合を示す概略図である。図７Ｂは、２つのコネクタ３８ｂ、３８ｃ間で延長された放射部２７の拡大図である。図７Ｃは、図７Ｂの斜視図である。図７Ｄは、コネクタ３８ｄ、３８ｅを介してリーダライタアンテナ２０の非放射部２８を延長した場合を示す概略図である。図７Ｅは、２つのコネクタ３８ｄ、３８ｅ間で延長された非放射部２８の拡大図である。図７Ｆは、図７Ｅの斜視図である。
【００３９】
図７Ａ乃至図７Ｃに示すように、内部導体２４及び外部導体２５を含むケーブル状本体部（同軸ケーブル）２１の放射部２７は、２つのコネクタの間に延長部分を挟むことで延長できる。ここでは、第１ケーブル部４０ａ、４０ｃの間に凸部３９ａと凹部３９ｂとの組み合わせによるコネクタ３８ｂと、凸部３９ｃと凹部３９ｄとの組み合わせによるコネクタ３８ｃとを設けている。第１ケーブル部４０ａ、４０ｃは、コネクタ３８ｂとコネクタ３８ｄとの間に延長部分となる第２ケーブル部４０ｂを挟むことで延長できる。上記のように放射部２７を延長する場合には、ＲＦＩＤ通信を考慮して所定長さに調整する。
【００４０】
図７Ｄ乃至図７Ｆに示すように、内部導体２４及び外部導体２５を含むケーブル状本体部（同軸ケーブル）２１の非放射部２８は、２つのコネクタの間に延長部分を挟むことで延長できる。ここでは、第３ケーブル部４０ｄ、４０ｅの間に凸部３９ｅと凹部３９ｆとの組み合わせによるコネクタ３８ｄと、凸部３９ｇと凹部３９ｈとの組み合わせによるコネクタ３８ｅとを設けている。第３ケーブル部４０ｄ、４０ｆは、コネクタ３８ｅとコネクタ３８ｆとの間に延長部分となる第４ケーブル部４０ｅを挟むことで延長できる。上記のように非放射部２８を延長する場合には、シールド部材として必要な長さとなるように延長すればよい。
【００４１】
なお、図７Ａ乃至図７Ｆでは、一つのケーブル状本体部２１の間に２つのコネクタを設け、２つのコネクタの間に一つの延長部分を挟んだ状態を示したが、これに限られず、複数の延長部分を挟んでもよい。あるいは、２つの部分を一つのコネクタで接続して、全体として一つのケーブル状本体部２１を構成してもよい。さらに、放射部及び／又は非放射部において、それぞれコネクタ間に延長部分を挟んで延長してもよい。また、このコネクタ３８ｂ、３８ｃは、凸部３９ａ、３９ｃと凹部３９ｂ、３９ｄとの組み合わせで構成しているが、これに限られない。２つの同型の部材を組み合わせて一つのコネクタとしてもよい。
【００４２】
なお、リーダライタアンテナとしては、図３Ａの構成、つまり、同軸ケーブルを用いたケーブル状本体部２１と、その一端部に設けられた整合回路部３０と、一端部から離間して設けられた磁性体２６とを有するリーダライタアンテナ２０に限られない。例えば、漏洩同軸ケーブルであってもよい。なお、漏洩同軸ケーブルは、スロットの設計等が難しく、自由に屈曲させることが困難であるので、上記図３Ａの構成のリーダライタアンテナ２０が漏洩同軸ケーブルより好ましい。
【００４３】
＜シールド部材＞
シールド部材１５ａ、１５ｂ、１５ｃ、１５ｄ、１５ｅ、１５ｆによって、商品２、２ａが陳列される空間４、４ａと外部空間の少なくとも一部とを区切る。具体的には、シールド部材１５ａ、１５ｂ、１５ｄ、１５ｅは支柱１２の外側に設けられ、シールド部材１５ｃ、１５ｆは、ハンガーパイプ１１、１１ａの上部に設けられる。シールド部材１５ａ、１５ｂ、１５ｃ、１５ｄ、１５ｅ、１５ｆは、例えば、導体からなる。シールド部材１５ａ、１５ｂ、１５ｃ、１５ｄ、１５ｅ、１５ｆは、板状、網状、等のいずれの形状であってもよい。
なお、後述する実施の形態２、３、４及び５に示すように、ラック１０ｃを構成する支柱１２ｂ、ハンガーパイプ１１ｂは、金属製であってもよい。この場合には、金属製のハンガーパイプ１１ｂ及び金属製の支柱１２ｂがシールド部材を兼ねる。
【００４４】
また、図６に示すように、ハンガーラック１０について、シールド部材１５ａ、１５ｂ、１５ｃによって囲まれる空間４は、仮想的な一つのシールド部材１５によってシールドされていると考えることができる。
【００４５】
後述するように、リーダライタアンテナ２０は、シールド部材を兼ねる金属製のハンガーパイプ１１ｂ及び金属製の支柱１２ｂより空間４の側にハンガーパイプ１１ｂ及び支柱１２ｂに沿って敷設されている場合がある（図９）。
図１０は、図９のＢ−Ｂ方向に見た金属製の支柱１２ｂとリーダライタアンテナ２０との概略断面図である。図１０において、リーダライタアンテナ２０の外部導体２５から漏洩するエネルギーの範囲を領域３７として示している。図１０に示すように、金属製の支柱１２ｂの幅Ｗは、領域３７よりも広いので、リーダライタアンテナ２０と反対側には領域３７は及ばない。金属製の支柱１２ｂの厚さｄについて、また、そこで、金属製の支柱１２ｂによってリーダライタアンテナ２０をシールドできる。なお、ＲＦＩＤ通信が可能な電波エリアは、領域３７から約１ｍ程度である。
【００４６】
本発明者は、リーダライタアンテナ２０の外部導体２５から漏洩するエネルギーの範囲である領域３７を見積もると、リーダライタアンテナ２０の外径φのおよそ２倍となることを見出した。具体的には、シールド部材を兼ねる金属製の支柱１２ｂは、リーダライタアンテナ２０と対向する面がリーダライタアンテナ２０の外径φの２倍以上の幅Ｗを有することが好ましい。シールド部材を兼ねる金属製のハンガーパイプ１１ｂ及び支柱１２ｂが上記幅Ｗを有することによって、リーダライタアンテナ２０をシールドできる。なお、シールド部材において、リーダライタアンテナ２０と対向する面が曲面状である場合には、リーダライタアンテナ２０の正投影面において、幅Ｗが２φ以上あればよい。
また、シールド部材を兼ねる金属製のハンガーパイプ１１ｂ及び金属製の支柱１２ｂは、リーダライタアンテナ２０と対向する面がリーダライタアンテナ２０の外径φの１／１０以上の厚さｄを有することが好ましい。シールド部材を兼ねる金属製のハンガーパイプ１１ｂ及び支柱１２ｂが上記厚さを有することによってさらにリーダライタアンテナ２０をシールドできる。
【００４７】
このシールド部材１５ａ、１５ｂ、１５ｃ、１５ｄ、１５ｅ、１５ｆによって、商品２、２ａが陳列される空間４，４ａと外部空間の少なくとも一部とを区切ることができる。そこで、図２に示すように、複数のラック１０、１０ａが近接配置されていても、隣接するラック１０，１０ａの商品２，２ａのＲＦＩＤタグ１，１ａを誤って読むことを抑制できる。例えば、ハンガーラック１０の底部１３のリーダライタアンテナ２０によって隣接するハンガーラック１０ａのハンガーパイプ１１ａに吊られた商品２ａのＲＦＩＤタグ１ａを読む場合を考える。この場合、ハンガーラック１０のリーダライタアンテナ２０と商品２ａのＲＦＩＤタグ１ａとの間には、ハンガーラック１０のシールド部材１５ｂと、ハンガーラック１０ａのシールド部材１５ｄと、がある。そこで、ハンガーラック１０のリーダライタアンテナ２０によって、隣接するハンガーラック１０ａに吊られた商品２ａのＲＦＩＤタグ１ａを読むことを抑制できる。同様に、ハンガーラック１０ａのリーダライタアンテナ２０ａによって、隣接するハンガーラック１０に吊られた商品２のＲＦＩＤタグ１を読むことを抑制できる。
【００４８】
なお、図３Ａのリーダライタアンテナ２０によれば、電波エリアは１ｍ程度であり、隣接するラックのリーダライタアンテナとの干渉も生じにくく、隣接するラックに吊られたＲＦＩＤを読みにくい。
【００４９】
そこで、図３Ａのリーダライタアンテナ２０とシールド部材１５ａ、１５ｂ、１５ｃ、１５ｄ、１５ｅ、１５ｆとを組み合わせることで、リーダライタアンテナ２０，２０ａ同士の干渉をさらに抑制できる。また、隣接するラックに吊られたＲＦＩＤタグ１、１ａを読むことをさらに抑制できる。これによって、ラックの移動の自由度を高くできる。
【００５０】
＜通信モジュール＞
図６のブロック図に示すように、通信モジュール２２は、店舗側アンテナ５１と通信するための外部通信用アンテナ４７を備える。また、通信モジュール２２は、リーダライタアンテナ２０と接続されているＲＦＩＤ通信用のＲＦＩＣ素子４４と、外部通信用アンテナ４７と、外部通信用アンテナ４７と接続されているＷｉＦｉ（登録商標）／Ｂｌｕｅｔｏｏｔｈ（登録商標）通信用のＲＦＩＣ素子４６と、制御部４５とを備える。
なお、ここでは店舗側端末との通信のためにＷｉＦｉ（登録商標）等の無線通信を挙げているが、無線通信に限られず、有線通信であってもよい。
【００５１】
図１及び図２に示すように、通信モジュール２２、２２ａは、シールド部材１５ｃ、１５ｆについて空間４、４ａと反対側に設けている。つまり、少なくともリーダライタアンテナ２０と外部通信用アンテナ４７との間にシールド部材１５ｃ、１５ｆを挟むように配置することによって、リーダライタアンテナ２０によるＲＦＩＤ通信が外部通信用アンテナ４７によるＷｉＦｉ（登録商標）／Ｂｌｕｅｔｏｏｔｈ（登録商標）通信に阻害されにくくできる。
また、通信モジュール２２は、駆動させるためのバッテリーを含む。
【００５２】
＜外部通信用アンテナ＞
外部通信用アンテナ４７は、店舗側アンテナ５１と通信するためのものである。外部通信用アンテナ４７は、店舗側アンテナ５１とＵＨＦ帯またはＳＨＦ帯で通信するものであればよい。外部通信用アンテナ４７と店舗側アンテナ５１とで近距離無線通信システムを構成する。なお、これらの近距離無線通信システムは１０ｍ〜１００ｍ程度の通信距離を有した近距離無線通信システムであり、２．４ＧＨｚ帯や５ＧＨｚ帯の通信周波数帯を利用する。つまり、上記の９００ＭＨｚ帯を利用したＲＦＩＤシステムとは通信周波数帯や電波の強度や性質が異なるため、近距離無線通信システムとＲＦＩＤ通信との干渉はほとんど無い。この近距離無線通信システムで用いるアンテナは共振系のアンテナである。なお、近距離無線通信システムとしては、ＷｉＦｉ（登録商標）に代表される無線ＬＡＮシステムの他、Ｂｌｕｅｔｏｏｔｈ（登録商標）システムを利用してもよい。
【００５３】
＜ＲＦＩＤタグを付した物品について＞
ＲＦＩＤタグ１を付した物品２について説明する。
【００５４】
＜ＲＦＩＤタグ＞
図５Ａは、ハンガー３に掛けられたＲＦＩＤタグ１付きの衣服２を示す概略図である。図５Ｂは、ＲＦＩＤタグ１の一例を示す概略図である。
このＲＦＩＤタグ１は、図５Ａに示すように、商品２である衣服に付されている。本実施の形態１ではＲＦＩＤタグ１は、商品２にひも等で取り付けられているが、これに限られず、直接に取り付けられていてもよい。ＲＦＩＤタグ１は、ＲＦＩＣ素子４１と、その両側にミアンダ状に延在する２つのアンテナ素子４３ａ、４３ｂを備えたダイポールアンテナ４２によって構成されている。また、ＲＦＩＤタグ１の全体をカバー材（図示せず）で覆っていてもよい。なお、アンテナは、ミアンダ状でない直線状のダイポールアンテナであってもよい。さらに、ループ状アンテナであってもよい。ＲＦＩＤタグ１のアンテナ素子４２の構成は、通信の周波数帯に応じて適宜選択すればよい。ＲＦＩＣ素子４１は整合回路部とともにパッケージされていてもよい。また、カバー材の表面には、例えば値段やブランド名等が印字していてもよい。なお、ＲＦＩＤタグ１は、通常、衣服２に付される、あるいはひも付け等により物理的に接続されているが、これに限られない。例えば、ＲＦＩＤタグ１と、衣服２とが物理的には分離しており、別個に配置されていてもよい。この場合にもＲＦＩＤタグ１は、商品２と関連付けられていればよい。
【００５５】
＜商品＞
ＲＦＩＤタグ１を付する商品２としては、陳列する空間４の中に配置するものであって、ＲＦＩＤタグ１による管理を行うものであれば何でもよい。例えば、商品２としては、衣服の他、食品、食器、容器、小物等であってもよい。また、取扱いに注意を要する宝飾品や食器等についても、各商品２に直接に触れることなく、在庫管理、セキュリティに関する管理を行うことができる。
【００５６】
＜商品管理システム＞
図６は、実施の形態１に係る商品陳列用ラックであるハンガーラック１０を含む商品管理システムの構成を示すブロック図である。
【００５７】
この商品管理システムは、ハンガーラック１０内に陳列された商品のＲＦＩＤタグ１、１ａを読み取るハンガーラック１０と、ハンガーラック１０と通信して商品の商品管理を行う店舗側端末５０と、を備える。なお、ハンガーラック１０ａも同様である。
【００５８】
＜ハンガーラック＞
ハンガーラック１０は、商品が陳列される空間内に敷設されたリーダライタアンテナ２０と、空間と外部空間の少なくとも一部とを区切るシールド部材１５ａ、１５ｂ、１５ｃと、シールド部材１５ａ、１５ｂ、１５ｃについて空間と反対側に設けられた、店舗側アンテナ５１と通信するための外部通信用アンテナ４７と、を有する。
なお、このハンガーラック１０は、上述の通りであるので詳細の説明を省略する。
【００５９】
＜店舗側端末＞
また、店舗側端末５０は、ハンガーラック１０の外部通信用アンテナ４７と通信するための店舗側アンテナ５１と、店舗側アンテナ５１と接続され、外部通信用アンテナ４７との近距離無線通信用のＲＦＩＣ素子５２と、商品のＲＦＩＤタグの情報を管理する制御部５３と、を有する。
【００６０】
この店舗側アンテナ５１は、ハンガーラック１０の外部通信用アンテナ４７とＵＨＦ帯またはＳＨＦ帯で近距離無線通信を行う。近距離無線通信システムとしては、ＷｉＦｉ（登録商標）に代表される無線ＬＡＮシステムの他、Ｂｌｕｅｔｏｏｔｈ（登録商標）システムを利用してもよい。
【００６１】
また、店舗側端末５０の制御部５３によって商品管理を行う。例えば、特定のＲＦＩＤタグの読取り可否をリアルタイムに検出して、特定のＲＦＩＤタグが付された商品がラック１０から取り出され、戻された回数を含む履歴を管理してもよい。あるいは、会計処理と連動させて商品管理を行ってもよい。
【００６２】
（実施の形態２）
図８は、実施の形態２に係る商品陳列用ラックであるハンガーラック１０ｂの構成を示す概略斜視図である。
実施の形態２に係るハンガーラック１０ｂは、実施の形態１に係るハンガーラックと対比すると、ラック１０ｂを構成するハンガーパイプ１１ｂ及び支柱１２ｂ自体を金属製としている点で相違する。つまり、金属製のハンガーパイプ１１ｂ及び支柱１２ｂをシールド部材として利用している。これによって別にシールド部材を設ける必要がなくなる。また、多くのハンガーラックでは、ハンガーパイプ及び支柱が金属製であるので、既存のものを有効利用できる。
【００６３】
（実施の形態３）
図９は、実施の形態３に係る商品陳列用ラックであるハンガーラック１０ｃの構成を示す概略斜視図である。図１０は、図９のＢ−Ｂ方向に見た金属製の支柱１２ｃとリーダライタアンテナ２０との概略断面図である。
【００６４】
実施の形態３に係るハンガーラック１０ｃは、実施の形態１に係るハンガーラックと対比すると、ハンガーパイプ１１は絶縁体であるが、天板１６を金属製とすると共に、ラック１０ｃを構成する支柱１２ｂ自体を金属製としている点で相違する。さらに、リーダライタアンテナ２０が商品を陳列する空間４内に配置されている点で相違する。具体的には、リーダライタアンテナ２０は、シールド部材を兼ねる金属製の天板１６及び金属製の支柱１２ｂより空間４の側にハンガーパイプ１１及び支柱１２ｂに沿って敷設されている。さらに、リーダライタアンテナ２０は、底部１３の上面に沿って配置されている。これによって、リーダライタアンテナの電波エリアが空間４内において下方からだけでなく上方及び側方からも及ぶので、ＲＦＩＤタグ１の位置によらず、読取りできる。
【００６５】
なお、図１０に示すように、シールド部材を兼ねる金属製の天板１６及び金属製の支柱１２ｂは、リーダライタアンテナ２０と対向する射影面がリーダライタアンテナ２０の外径の２倍以上の幅Ｗを有することが好ましい。シールド部材１６、１２ｂが上記幅Ｗを有することによって、リーダライタアンテナ２０をシールドできる。また、シールド部材を兼ねる金属製の天板１６及び金属製の支柱１２ｂは、リーダライタアンテナ２０と対向する面がリーダライタアンテナ２０の外径の１／１０以上の厚さｄを有することが好ましい。シールド部材１６、１２ｂが上記厚さを有することによってさらにリーダライタアンテナ２０をシールドできる。
【００６６】
（実施の形態４）
図１１Ａは、実施の形態４に係る商品陳列用ラックであるハンガーラック１０ｄの構成を示す概略斜視図である。図１１Ｂは、図１１Ａのハンガーラック１０ｄにおいて、金属製のハンガーパイプ１１ｂにリーダライタアンテナ２０を配置した状態を示す概略図である。
【００６７】
実施の形態４に係るハンガーラック１０ｄは、実施の形態３に係るハンガーラックと対比すると、天板を設けないで、ハンガーパイプ１１ｂ自体を金属製にしている点で相違する。
【００６８】
また、図１１Ｂに示すように、リーダライタアンテナ２０を金属製のハンガーパイプ１１ｂの下側に這わしている。この場合、金属製のハンガーパイプ１１ｂは、リーダライタアンテナ２０と対向する射影面がリーダライタアンテナ２０の外径の２倍以上の幅Ｗを有することが好ましい。シールド部材を兼ねるハンガーパイプ１１ｂが上記幅Ｗを有することによって、リーダライタアンテナ２０をシールドできる。また、シールド部材を兼ねる金属製のハンガーパイプ１１ｂは、リーダライタアンテナ２０と対向する面がリーダライタアンテナ２０の外径の１／１０以上の厚さｄを有することが好ましい。シールド部材を兼ねるハンガーパイプ１１ｂが上記厚さを有することによってさらにリーダライタアンテナ２０をシールドできる。
【００６９】
（実施の形態５）
図１２は、実施の形態５に係る商品陳列用ラックであるハンガーラック１０ｅの構成を示す概略斜視図である。
【００７０】
実施の形態５に係るハンガーラック１０ｅは実施の形態４に係るハンガーラックと対比すると、リーダライタアンテナ２０をハンガーパイプ１１の下側ではなく、上方にわたって張設している点で相違する。このハンガーラック１０ｅでは、上方にはシールド部材を設けていない。つまり、シールド部材は、空間４を全て囲うように配置しなくてもよい。特に、複数のハンガーラックがあっても水平方向で隣接するのみであって、上方で隣接することはないので、上方のシールド部材を省略できる。
【００７１】
図１３Ａ、図１３Ｂ、図１４Ａ、図１４Ｂ、図１５Ａ、図１５Ｂ、図１６Ａ、図１６Ｂは、それぞれリーダライタアンテナ２０の空間４内における配置の他の例を示す概略斜視図である。
【００７２】
図１３Ａでは、リーダライタアンテナ２０が一方の支柱１２から底部１３に沿って他方の支柱１２まで延在する。次いで、他方の支柱１２に沿ってｚ軸の正方向に延在し、ハンガーパイプ１１の上方で一方の支柱１２まで延在し、支柱１２に沿ってｚ軸の負方向に延在し、中間のパイプに沿って他方の支柱まで延在している。図１３Ｂでは、リーダライタアンテナ２０が一方の支柱１２から底部１３に沿って他方の支柱１２まで延在する。次いで、他方の支柱１２に沿ってｚ軸の正方向に延在し、中間のパイプに沿って一方の支柱１２まで延在し、支柱１２に沿ってｚ軸の正方向に延在し、ハンガーパイプ１１の上方で他方の支柱１２まで延在している。
【００７３】
図１４Ａでは、リーダライタアンテナ２０が底部１３上で一方の支柱１２から他方の支柱１２までミアンダ状に敷設されている。図１４Ｂでは、リーダライタアンテナ２０が底部の外周に沿って時計回りに敷設されている。
【００７４】
図１５Ａでは、リーダライタアンテナ２０が底部１３上で一方の支柱１２から他方の支柱１２までミアンダ状に敷設され、他方の支柱１２に沿ってｚ軸の正方向に延在し、ハンガーパイプ１１の上方で天板の裏面に沿って一方の支柱１２までミアンダ状に延在している。図１５Ｂでは、リーダライタアンテナ２０が一方の支柱１２から底部１３に沿って他方の支柱１２まで延在する。次いで、他方の支柱１２に沿ってｚ軸の正方向に延在し、ハンガーパイプ１１の上方で一方の支柱１２まで延在し、支柱１２に沿ってｚ軸の負方向に延在している。
【００７５】
図１６Ａでは、リーダライタアンテナ２０が一方の支柱１２から底部１３の上面に沿って他方の支柱１２までミアンダ状に延在する。次いで、他方の支柱１２に沿ってｚ軸の正方向に延在し、中間のパイプに沿って一方の支柱１２まで延在し、支柱１２に沿ってｚ軸の正方向に延在し、ハンガーパイプ１１の上方で天板の裏面に沿って他方の支柱１２までミアンダ状に延在している。図１６Ｂでは、リーダライタアンテナ２０が底部１３とハンガーパイプ１１の上方との間で複数回にわたって往復配置されている。
【００７６】
なお、図１３Ａ乃至図１６Ｂには、リーダライタアンテナ２０の他に、ハンガーパイプ１１、支柱１２、底部１３、天板１６、通信モジュール２２を含むハンガーラック１０ｆ、１０ｇ、１０ｈ、１０ｉ、１０ｊ、１０ｋ、１０ｌ、１０ｍを示している。また、図１３Ａ乃至図１６Ｂには、リーダライタアンテナ２０の放射部２７のレイアウトのみを示しており、非放射部のレイアウトは示していない。
【００７７】
図１３Ａ乃至図１６Ｂに示すように、リーダライタアンテナ２０は、分岐・分配するのではなく、商品を陳列する空間４内に様々なパターンで二次元的あるいは三次元的に配置してもよい。また、図３Ａに示すリーダライタアンテナ２０は、漏洩同軸ケーブルのように終端抵抗を利用するタイプではなく、外部導体２５に定在波を生じさせ、これを利用した進行波型のケーブルアンテナである。そのため、損失が少ないし、商品を陳列する空間４内に配置されたＲＦＩＤタグをまんべんなく読取りできる。
【００７８】
（実施の形態６）
図１７Ａは、実施の形態６に係る商品陳列用ラックである陳列台６０の構成を示す概略斜視図である。図１７Ｂは、実施の形態６に係る商品陳列用ラックである別例の陳列台６０ａの構成を示す概略斜視図である。
【００７９】
実施の形態６に係る商品陳列用ラックである陳列台６０は、シールド部材６２で囲まれた商品を陳列するための空間６１を有する所定高さの台である。この台の内部にリーダライタアンテナ２０が２次元的にミアンダ状に配置されている。また、別例の陳列台６０ａでは、リーダライタアンテナ２０が台の内側にミアンダ状に配置されているだけでなく、ミアンダ状のリーダライタアンテナ２０の外側を囲むように配置されている。これらの陳列台６０，６０ａによって、空間６１内に陳列された商品に付されたＲＦＩＤタグを適切に読み取ることができる。
【００８０】
（実施の形態７）
図１８は、実施の形態７に係る商品陳列用ラックである陳列用シェルフ７０の構成を示す概略斜視図である。
【００８１】
実施の形態７に係る陳列用シェルフ７０は、商品を陳列する空間７１と外部空間の少なくとも一部とを区切るシールド部材７２と、シールド部材７２に沿って内側に敷設されたリーダライタアンテナ２０と、キャスターと、を有する。この陳列用シェルフ７０によって、空間７１内に陳列された商品に付されたＲＦＩＤタグを適切に読み取ることができる。
【００８２】
なお、本開示においては、前述した様々な実施の形態及び／又は実施例のうちの任意の実施の形態及び／又は実施例を適宜組み合わせることを含むものであり、それぞれの実施の形態及び／又は実施例が有する効果を奏することができる。
【産業上の利用可能性】
【００８３】
本発明に係る商品陳列用ラック及びこれを用いた商品管理システムによれば、リーダライタアンテナを用いているので、隣接するラックのアンテナとの干渉を生じにくく、隣接するラックに陳列された商品のＲＦＩＤタグを読みにくく、リアルタイムの商品管理ができる。
【符号の説明】
【００８４】
１、１ａ、１ｂ  ＲＦＩＤタグ
２、２ａ、２ｂ  商品（衣服）
３，３ａ  ハンガー
４、４ａ  陳列する空間
１０、１０ａ、１０ｂ、１０ｃ、１０ｄ、１０ｅ、１０ｆ、１０ｇ、１０ｈ、１０ｉ、１０ｊ、１０ｋ、１０ｌ、１０ｍ  商品陳列用ラック（ハンガーラック）
１１、１１ａ  ハンガーパイプ
１１ｂ  ハンガーパイプ（金属製）
１２、１２ａ  支柱
１２ｂ  支柱（金属製）
１３、１３ａ  底部
１４、１４ａ  キャスター
１５，１５ａ、１５ｂ、１５ｃ  シールド部材
１６  天板（金属製）
２０、２０ａ、２０ｂ  リーダライタアンテナ
２１  ケーブル状本体部
２２  通信モジュール
２３  給電部
２４  内部導体
２５  外部導体
２６  磁性体
２７  放射部
２８  非放射部
３０  整合回路部
３１  第１導体層
３２  ビアホール導体
３３  第２導体層
３４  絶縁体
３５  キャパシタ成分
３６  インダクタ成分
３７  有効範囲
３８ａ、３８ｂ、３８ｃ、３８ｄ、３８ｅ  コネクタ
３９ａ、３９ｃ、３９ｅ、３９ｇ  凸部
３９ｂ、３９ｄ、３９ｆ、３９ｈ  凹部
４０ａ、４０ｃ  第１ケーブル部
４０ｂ  第２ケーブル部
４０ｄ、４０ｆ  第３ケーブル部
４０ｅ  第４ケーブル部
４１、４１ａ  ＲＦＩＣ素子
４２、４２ａ  アンテナ素子
４３ａ、４３ｂ  ミアンダ状アンテナ素子
４４  内部側通信用ＲＦＩＣ素子
４５  制御ＩＣ
４６  外部側通信用ＲＦＩＣ素子
４７  外部側通信用アンテナ
４８  ＲＦＩＤ通信
５０  店舗側端末
５１  店舗側アンテナ
５２  店舗側ＲＦＩＣ素子
５３  店舗側制御ＩＣ
５４  ＷｉＦｉ（登録商標）／Ｂｌｕｅｔｏｏｔｈ（登録商標）通信
６０、６０ａ  陳列台
６１  陳列する空間
６２  シールド部材
６３  キャスター
７０  陳列用シェルフ
７１  陳列する空間
７２  シールド部材
７３  キャスター
【図１】
2019207445.tif 000003
【図２】
2019207445.tif 000004
【図３Ａ】
2019207445.tif 000005
【図３Ｂ】
2019207445.tif 000006
【図４Ａ】
2019207445.tif 000007
【図４Ｂ】
2019207445.tif 000008
【図４Ｃ】
2019207445.tif 000009
【図５Ａ】
2019207445.tif 000010
【図５Ｂ】
2019207445.tif 000011
【図６】
2019207445.tif 000012
【図７Ａ】
2019207445.tif 000013
【図７Ｂ】
2019207445.tif 000014
【図７Ｃ】
2019207445.tif 000015
【図７Ｄ】
2019207445.tif 000016
【図７Ｅ】
2019207445.tif 000017
【図７Ｆ】
2019207445.tif 000018
【図８】
2019207445.tif 000019
【図９】
2019207445.tif 000020
【図１０】
2019207445.tif 000021
【図１１Ａ】
2019207445.tif 000022
【図１１Ｂ】
2019207445.tif 000023
【図１２】
2019207445.tif 000024
【図１３Ａ】
2019207445.tif 000025
【図１３Ｂ】
2019207445.tif 000026
【図１４Ａ】
2019207445.tif 000027
【図１４Ｂ】
2019207445.tif 000028
【図１５Ａ】
2019207445.tif 000029
【図１５Ｂ】
2019207445.tif 000030
【図１６Ａ】
2019207445.tif 000031
【図１６Ｂ】
2019207445.tif 000032
【図１７Ａ】
2019207445.tif 000033
【図１７Ｂ】
2019207445.tif 000034
【図１８】
2019207445.tif 000035